(57)【要約】【課題】工程間の検版を容易に行うことのできる技術を提供する。【解決手段】製版工程の中の異なる工程で作成された２つの印刷物画像データから、同一のＲＩＰ展開条件で展開された検版用ＲＩＰ展開データＣＤ２，ＣＤ３を作成し、これらのデータＣＤ２，ＣＤ３を比較することによって検版結果を得る。検版用ＲＩＰ展開データＣＤ２，ＣＤ３を作成する方法としては、（１）それぞれの未展開データを標準ＲＩＰ展開条件で展開する方法や、（２）それぞれＲＩＰ展開された２つのＲＩＰ展開データを、標準ＲＩＰ展開条件にそれぞれ変換する方法、（３）それぞれＲＩＰ展開された２つのＲＩＰ展開データの一方を、他方のＲＩＰ展開条件に合わせるように変換する方法、などを利用できる。【選択図】  図３
2004203016.tif 000002
【特許請求の範囲】
【請求項１】
複数の処理工程によって順次処理されてゆく印刷物画像を検査するための検版方法であって、
異なる処理工程で作成された２つの印刷物画像データから、同一のＲＩＰ展開条件で展開された２つの検版用ＲＩＰ展開データを作成する工程と、
前記２つの検版用ＲＩＰ展開データを比較することによって、前記第１と第２の印刷物画像データの差異を検出する工程と、を備える検版方法。
【請求項２】
複数の処理工程によって順次処理されてゆく印刷物画像を検査するための検版方法であって、
（ａ）第１のＲＩＰ展開条件に従って第１の印刷物画像データをＲＩＰ展開することによって、第１のＲＩＰ展開データを作成する第１のＲＩＰ展開工程と、
（ｂ）前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって、第２のＲＩＰ展開データを作成する第２のＲＩＰ展開工程と、
（ｃ）予め設定された標準ＲＩＰ展開条件に従って前記第１と第２の印刷物画像データをそれぞれＲＩＰ展開することによって第１と第２の検版用ＲＩＰ展開データを作成する工程と、
（ｄ）前記第１と第２の検版用ＲＩＰ展開データを比較することによって、前記第１と第２の印刷物画像データの差異を検出する工程と、を備える検版方法。
【請求項３】
複数の処理工程によって順次処理されてゆく印刷物画像を検査するための検版方法であって、
（ａ）第１のＲＩＰ展開条件に従って第１の印刷物画像データをＲＩＰ展開することによって第１のＲＩＰ展開データを作成する第１のＲＩＰ展開工程と、
（ｂ）前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって第２のＲＩＰ展開データを作成する第２のＲＩＰ展開工程と、
（ｃ）予め設定された標準ＲＩＰ展開条件と前記第１のＲＩＰ展開条件との関係を表す第１のプロファイルに基づいて前記第１のＲＩＰ展開データを変換することによって、前記標準的ＲＩＰ展開条件を有する第１の検版用ＲＩＰ展開データを作成する工程と、
（ｄ）前記標準ＲＩＰ展開条件と前記第２のＲＩＰ展開条件との関係を表す第２のプロファイルに基づいて前記第２のＲＩＰ展開データを変換することによって、前記標準的ＲＩＰ展開条件を有する第２の検版用画像を作成する工程と、
（ｅ）前記第１と第２の検版用画像を比較することによって、前記第１と第２の印刷物画像データの差異を検出する工程と、を備える検版方法。
【請求項４】
請求項２または３記載の検版方法であって、
前記標準ＲＩＰ展開条件は、最終的な刷版出力工程における解像度よりも低い解像度をパラメータとして含む、検版方法。
【請求項５】
複数の処理工程によって順次処理されてゆく印刷物画像を検査するための検版方法であって、
（ａ）第１のＲＩＰ展開条件に従って第１の印刷物画像データをＲＩＰ展開することによって、第１のＲＩＰ展開データを作成する第１のＲＩＰ展開工程と、
（ｂ）前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって、第２のＲＩＰ展開データを作成する第２のＲＩＰ展開工程と、
（ｃ）前記第１と第２のＲＩＰ展開条件との関係を表すプロファイルに基づいて前記第１と第２のＲＩＰ展開データの少なくとも一方を変換することによって、同一のＲＩＰ展開条件を有する第１と第２の検版用ＲＩＰ展開データを作成する工程と、
（ｄ）前記第１と第２の検版用ＲＩＰ展開データを比較することによって、前記第１と第２の印刷物画像データの差異を検出する工程と、
を備える検版方法。
【請求項６】
請求項１ないし５のいずれかに記載の検版方法であって、
各印刷物画像データは、指定されたページレイアウト条件に従って台紙上に１つ以上の印刷物ページが配置された画像を表すデータであり、
前記方法は、さらに、
各印刷物画像データに対してそれぞれ指定された前記ページレイアウト条件に基づいて、各印刷物画像データの中の同じ印刷物ページに対応する画像領域を抽出する工程を含む、検版方法。
【請求項７】
請求項６記載の検版方法であって、
前記画像領域を抽出する工程は、各印刷物画像データにおいて前記同じ印刷物ページの配置の角度が互いに異なる場合に、各印刷物画像データの少なくとも一方の前記画像領域を前記角度が同じとなるように回転させる工程を含む、検版方法。
【請求項８】
請求項１ないし７のいずれかに記載の検版方法であって、
前記印刷物画像データに対する前記複数の処理工程における処理は、各処理工程における処理条件を規定したジョブチケットに従って実行される、検版方法。
【請求項９】
請求項８記載の検版方法であって、
前記ジョブチケットには、前記比較の結果が不良な場合にアラート表示を行うか否かの指定が予め設定可能である、検版方法。
【請求項１０】
請求項８記載の検版方法であって、
前記ジョブチケットには、前記比較の結果が不良な場合にアラート表示を行う第１のエラー対処モードと、前記比較の結果が不良な場合に直ちにその後の処理を停止する第２のエラー対処モードとを含む複数のエラー対処モードが選択的に設定可能である、検版方法。
【請求項１１】
請求項９または１０記載の検版方法であって、
前記アラート表示は、次の処理を継続するか否かを指定するための指示部を含む、検版方法。
【請求項１２】
複数の処理工程によって順次処理されてゆく印刷物画像を検査するための検版を実行可能な製版システムであって、
異なる処理工程で作成された２つの印刷物画像データから、同一のＲＩＰ展開条件で展開された２つの検版用ＲＩＰ展開データを作成するＲＩＰ展開部と、
前記２つの検版用ＲＩＰ展開データを比較することによって、前記第１と第２の印刷物画像データの差異を検出する比較部と、を備える製版システム。
【請求項１３】
複数の処理工程によって順次処理されてゆく印刷物画像を検査するための検版を実行可能な製版システムであって、
第１のＲＩＰ展開条件に従って第１の印刷物画像データをＲＩＰ展開することによって、第１のＲＩＰ展開データを作成する第１のＲＩＰ展開部と、
前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって、第２のＲＩＰ展開データを作成する第２のＲＩＰ展開部と、
予め設定された標準ＲＩＰ展開条件に従って前記第１と第２の印刷物画像データをそれぞれＲＩＰ展開することによって第１と第２の検版用ＲＩＰ展開データを作成する第３のＲＩＰ展開部と、
前記第１と第２の検版用ＲＩＰ展開データを比較することによって、前記第１と第２の印刷物画像データの差異を検出する比較部と、を備える製版システム。
【請求項１４】
複数の処理工程によって順次処理されてゆく印刷物画像を検査するための検版を実行可能な製版システムであって、
第１のＲＩＰ展開条件に従って第１の印刷物画像データをＲＩＰ展開することによって第１のＲＩＰ展開データを作成する第１のＲＩＰ展開部と、
前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって第２のＲＩＰ展開データを作成する第２のＲＩＰ展開部と、
予め設定された標準ＲＩＰ展開条件と前記第１のＲＩＰ展開条件との関係を表す第１のプロファイルに基づいて前記第１のＲＩＰ展開データを変換することによって、前記標準的ＲＩＰ展開条件を有する第１の検版用ＲＩＰ展開データを作成するとともに、前記標準ＲＩＰ展開条件と前記第２のＲＩＰ展開条件との関係を表す第２のプロファイルに基づいて前記第２のＲＩＰ展開データを変換することによって、前記標準的ＲＩＰ展開条件を有する第２の検版用画像を作成する第３のＲＩＰ展開部と、
前記第１と第２の検版用画像を比較することによって、前記第１と第２の印刷物画像データの差異を検出する比較部と、
を備える製版システム。
【請求項１５】
請求項１３または１４記載の製版システムであって、
前記標準ＲＩＰ展開条件は、最終的な刷版出力工程における解像度よりも低い解像度をパラメータとして含む、製版システム。
【請求項１６】
複数の処理工程によって順次処理されてゆく印刷物画像を検査するための検版を実行可能な製版システムであって、
第１のＲＩＰ展開条件に従って第１の印刷物画像データをＲＩＰ展開することによって、第１のＲＩＰ展開データを作成する第１のＲＩＰ展開部と、
前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって、第２のＲＩＰ展開データを作成する第２のＲＩＰ展開部と、
前記第１と第２のＲＩＰ展開条件との関係を表すプロファイルに基づいて前記第１と第２のＲＩＰ展開データの少なくとも一方を変換することによって、同一のＲＩＰ展開条件を有する第１と第２の検版用ＲＩＰ展開データを作成する第３の展開部部と、
前記第１と第２の検版用ＲＩＰ展開データを比較することによって、前記第１と第２の印刷物画像データの差異を検出する比較部と、を備える製版システム。
【請求項１７】
請求項１２ないし１６のいずれかに記載の製版システムであって、
各印刷物画像データは、指定されたページレイアウト条件に従って台紙上に１つ以上の印刷物ページが配置された画像を表すデータであり、
前記製版システムは、さらに、
各印刷物画像データに対してそれぞれ指定された前記ページレイアウト条件に基づいて、各印刷物画像データの中の同じ印刷物ページに対応する画像領域を抽出する画像領域抽出部を含む、製版システム。
【請求項１８】
請求項１７記載の製版システムであって、
前記画像領域抽出部は、各印刷物画像データにおいて前記同じ印刷物ページの配置の角度が互いに異なる場合に、各印刷物画像データの少なくとも一方の前記画像領域を前記角度が同じとなるように回転させる工程を含む、製版システム。
【請求項１９】
請求項１２ないし１８のいずれかに記載の製版システムであって、
前記印刷物画像データに対する前記複数の処理工程における処理は、各処理工程における処理条件を規定したジョブチケットに従って実行される、製版システム。
【請求項２０】
請求項１９記載の製版システムであって、
前記ジョブチケットには、前記比較の結果が不良な場合にアラート表示を行うか否かの指定が予め設定可能である、製版システム。
【請求項２１】
請求項１９記載の製版システムであって、
前記ジョブチケットには、前記比較の結果が不良な場合にアラート表示を行う第１のエラー対処モードと、前記比較の結果が不良な場合に直ちにその後の処理を停止する第２のエラー対処モードとを含む複数のエラー対処モードが選択的に設定可能である、製版システム。
【請求項２２】
請求項２０または２１記載の製版システムであって、
前記アラート表示は、次の処理を継続するか否かを指定するための指示部を含む、製版システム。
【発明の詳細な説明】
【０００１】
【発明の属する技術分野】
この発明は、複数の処理工程によって順次処理されてゆく印刷物画像を検査する技術に関する。
【０００２】
【従来の技術】
コンピュータ技術の進展に伴って、商業印刷用の製版システムにおいてもコンピュータを用いたデジタル化が普及してきている。デジタル化された印刷製版システムでは、印刷物データ（例えばＰＤＦデータやＰｏｓｔＳｃｒｉｐｔデータ。ＰｏｓｔＳｃｒｉｐｔはアドビシステムズ社の商標）を受け取り、この印刷物データに種々のデータ処理を行って２値の刷版データを作成し、この刷版データを用いて刷版または網フィルムが出力される。さらに最近では、印刷製版システムで２値の印刷物データを作成し、この２値印刷物データをオンデマンド印刷機に転送して直接印刷を実行させるオンデマンド印刷も行われている。本明細書では、このような２値刷版データや２値印刷物データを作成する処理の全体を「印刷製版」と呼んでいる。
【０００３】
印刷製版工程においては、クライアントの指示通りに印刷物画像を修正することが重要である。そのため、印刷物の校正と、校正結果が正しく反映されているか否かをチェックする検版とが念入りに行われる。デジタル化された印刷製版システムでは、校正前後の２値の刷版データを比較することによって検版が行われている（例えば、特許文献１参照）。
【０００４】
【特許文献１】
特開平１０−１５４２３４号公報
【０００５】
【発明が解決しようとする課題】
近年では、特に検版処理の重要性が高まりつつある。その理由の１つは、印刷製版の作業量やコストを削減するために、校正刷り（プルーフ）の出力回数を減らしたいという要望があるからである。例えば、最終出力（刷版や印刷物の出力）の直前にわずかな変更を加えるときには、修正内容を印刷物の発注元である顧客に確認する必要が無いため、校正刷りが省略される場合も多い。他の理由は、例えば、印刷物画像がデジタルデータで処理され、オペレータが容易に印刷物データを変更できるので、これによって誤りが発生する可能性があるからである。
このように、比較的軽微な修正を加えた際に、その修正の確認作業が不十分である場合には、最終的な印刷物が不良となる可能性がある。このため、異なる工程間の印刷物画像同士で自動的に検版処理を行いたいという要望が高まっていた。
【０００６】
また、従来の検版処理では、校正前後の刷版データを比較していたので、初校を出力するための処理の段階では検版を行うことが不可能であった。そこで、従来から、初校の出力のための処理の段階においても検版を行うことができる技術が望まれていた。
【０００７】
本発明は、上述した従来の課題を解決するためのものであり、工程間の検版を容易に行うことのできる技術を提供することを目的とする。
【０００８】
【課題を解決するための手段およびその作用・効果】
上記目的を達成するために、本発明による第１の検版方法は、複数の処理工程によって順次処理されてゆく印刷物画像を検査するための検版方法であって、
異なる処理工程で作成された２つの印刷物画像データから、同一のＲＩＰ展開条件で展開された２つの検版用ＲＩＰ展開データを作成する工程と、
前記２つの検版用ＲＩＰ展開データを比較することによって、前記第１と第２の印刷物画像データの差異を検出する工程と、
を備える。
【０００９】
この第１の検版方法では、異なる処理工程で作成された２つの印刷物画像データから同一のＲＩＰ展開条件で展開された２つの検版用ＲＩＰ展開データを作成し、これらの検版用ＲＩＰ展開データを比較することによって検版を行うので、初校を出力するための処理の段階においても、異なる工程で得られた２つの印刷物画像に関して検版を容易に行うことが可能である。
【００１０】
本発明による第２の検版方法は、複数の処理工程によって順次処理されてゆく印刷物画像を検査するための検版方法であって、
（ａ）第１のＲＩＰ展開条件に従って第１の印刷物画像データをＲＩＰ展開することによって、第１のＲＩＰ展開データを作成する第１のＲＩＰ展開工程と、
（ｂ）前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって、第２のＲＩＰ展開データを作成する第２のＲＩＰ展開工程と、
（ｃ）予め設定された標準ＲＩＰ展開条件に従って前記第１と第２の印刷物画像データをそれぞれＲＩＰ展開することによって第１と第２の検版用ＲＩＰ展開データを作成する工程と、
（ｄ）前記第１と第２の検版用ＲＩＰ展開データを比較することによって、前記第１と第２の印刷物画像データの差異を検出する工程と、
を備える。
【００１１】
この第２の検版方法では、第１と第２の印刷物画像データをそれぞれ標準ＲＩＰ展開条件で展開することによって第１と第２の検版用ＲＩＰ展開データを作成するので、同一の標準ＲＩＰ展開条件で展開された２つのＲＩＰ展開データ（検版用ＲＩＰ展開データ）を得ることができる。初校を出力するための処理の段階においても、異なる工程で得られた２つの印刷物画像に関して検版を容易に行うことが可能である。
【００１２】
本発明による第３の検版方法は、複数の処理工程によって順次処理されてゆく印刷物画像を検査するための検版方法であって、
（ａ）第１のＲＩＰ展開条件に従って第１の印刷物画像データをＲＩＰ展開することによって第１のＲＩＰ展開データを作成する第１のＲＩＰ展開工程と、
（ｂ）前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって第２のＲＩＰ展開データを作成する第２のＲＩＰ展開工程と、
（ｃ）予め設定された標準ＲＩＰ展開条件と前記第１のＲＩＰ展開条件との関係を表す第１のプロファイルに基づいて前記第１のＲＩＰ展開データを変換することによって、前記標準的ＲＩＰ展開条件を有する第１の検版用ＲＩＰ展開データを作成する工程と、
（ｄ）前記標準ＲＩＰ展開条件と前記第２のＲＩＰ展開条件との関係を表す第２のプロファイルに基づいて前記第２のＲＩＰ展開データを変換することによって、前記標準的ＲＩＰ展開条件を有する第２の検版用画像を作成する工程と、
（ｅ）前記第１と第２の検版用画像を比較することによって、前記第１と第２の印刷物画像データの差異を検出する工程と、
を備える。
【００１３】
この第３の検版方法では、第１と第２のＲＩＰ展開データをそれぞれ標準ＲＩＰ展開条件に変換するので、同一の標準ＲＩＰ展開条件で展開された２つのＲＩＰ展開データ（検版用ＲＩＰ展開データ）を得ることができる。従って、初校を出力するための処理の段階においても、異なる工程で得られた２つの印刷物画像に関して検版を容易に行うことが可能である。
【００１４】
なお、前記標準ＲＩＰ展開条件は、最終的な刷版出力工程における解像度よりも低い解像度をパラメータとして含むことが好ましい。
【００１５】
このようにすれば、製版工程の途中における検版を、より短時間で効率良く行うことができる。
【００１６】
本発明による第４の検版方法は、複数の処理工程によって順次処理されてゆく印刷物画像を検査するための検版方法であって、
（ａ）第１のＲＩＰ展開条件に従って第１の印刷物画像データをＲＩＰ展開することによって、第１のＲＩＰ展開データを作成する第１のＲＩＰ展開工程と、
（ｂ）前記第１の印刷物画像データに対して他の製版処理を行って得られた第２の印刷物画像データを、前記第１のＲＩＰ展開条件とは異なる第２のＲＩＰ展開条件に従ってＲＩＰ展開することによって、第２のＲＩＰ展開データを作成する第２のＲＩＰ展開工程と、
（ｃ）前記第１と第２のＲＩＰ展開条件との関係を表すプロファイルに基づいて前記第１と第２のＲＩＰ展開データの少なくとも一方を変換することによって、同一のＲＩＰ展開条件を有する第１と第２の検版用ＲＩＰ展開データを作成する工程と、
（ｄ）前記第１と第２の検版用ＲＩＰ展開データを比較することによって、前記第１と第２の印刷物画像データの差異を検出する工程と、
を備える。
【００１７】
この第４の検版方法では、第１と第２のＲＩＰ展開データのうちの一方を他方のＲＩＰ展開条件に合わせて変換するので、同一のＲＩＰ展開条件で展開された２つのＲＩＰ展開データ（検版用ＲＩＰ展開データ）を得ることができる。従って、初校を出力するための処理の段階においても、異なる工程で得られた２つの印刷物画像に関して検版を容易に行うことが可能である。
【００１８】
上述の各検版方法において、
各印刷物画像データは、指定されたページレイアウト条件に従って台紙上に１つ以上の印刷物ページが配置された画像を表すデータであり、
前記方法は、さらに、
各印刷物画像データに対してそれぞれ指定された前記ページレイアウト条件に基づいて、各印刷物画像データの中の同じ印刷物ページに対応する画像領域を抽出する工程を含むようにしてもよい。
【００１９】
この構成によれば、印刷物画像データから同一のページの画像を抽出して比較できるので、ページレイアウト条件が異なる場合にも検版を容易に実行することが可能である。
【００２０】
前記画像領域を抽出する工程は、各印刷物画像データにおいて前記同じ印刷物ページの配置の角度が互いに異なる場合に、各印刷物画像データの少なくとも一方の前記画像領域を前記角度が同じとなるように回転させる工程を含むことが好ましい。
【００２１】
この構成によれば、配置の角度（向き）が異なる場合にも検版を実行することが可能である。
【００２２】
前記印刷物画像データに対する前記複数の処理工程における処理は、各処理工程における処理条件を規定したジョブチケットに従って実行されるようにしてもよい。前記ジョブチケットには、前記比較の結果が不良な場合にアラート表示を行うか否かの指定が予め設定可能であるようにしてもよい。また、前記ジョブチケットには、前記比較の結果が不良な場合にアラート表示を行う第１のエラー対処モードと、前記比較の結果が不良な場合に直ちにその後の処理を停止する第２のエラー対処モードとを含む複数のエラー対処モードが選択的に設定可能であるようにしてもよい。前記アラート表示は、例えば、次の処理を継続するか否かを指定するための指示部を含むものである。
【００２３】
この構成によれば、ジョブチケットに検版結果が不良な場合の対処モードを予め設定しておけるので、ジョブに応じて適切に対処することができる。
【００２４】
なお、本発明は、種々の形態で実現することが可能であり、例えば、検版システムや製版システム、これらのシステムにおける検版方法、それらのシステム（装置）の各部の機能や方法の各工程の機能を実現するためのコンピュータプログラム、そのコンピュータプログラムを記録した記録媒体、そのコンピュータプログラムを含み搬送波内に具現化されたデータ信号、等の形態で実現することができる。
【００２５】
【発明の実施の形態】
次に、本発明の実施の形態を実施例に基づいて以下の順序で説明する。
Ａ．装置の全体構成：
Ｂ．第１実施例：
Ｃ．第２実施例：
Ｄ．第３実施例：
Ｅ．第４実施例：
Ｆ．第５実施例：
Ｇ．第６実施例：
Ｈ．変形例：
【００２６】
Ａ．装置の全体構成：
図１は、本発明の一実施例である印刷製版システムの全体構成を示す説明図である。この印刷製版システムは、印刷物をデザインして印刷物データを作成するためのデザイン装置１００と、この印刷物データに基づいて刷版または印刷物を作成するためのワークフローシステム２００とを備えている。ワークフローシステム２００は、ワークフロー制御システム３００と、３つの出力機４１０、４２０、４３０とがネットワークを介して接続されることによって構成されている。
すなわち、簡易プルーフ出力機４１０は、印刷物データに応じて校正刷りを印刷し、網点プルーフ出力機４２０は、網点処理（網掛け処理）を行った印刷物データの校正刷りを出力し、プレート出力機４３０は、印刷物データから刷版を直接作成する。なお、プレート出力機４３０は、ＣＴＰ（Ｃｏｍｐｕｔｅｒ  Ｔｏ  Ｐｌａｔｅ）装置とも呼ばれている。また、ワークフロー制御システム３００には、ＣＲＴディスプレイ、ＬＣＤディスプレイ等の表示部４００が接続されており、印刷物データに応じた印刷物画像や、検版結果等を表示することができる。
【００２７】
図２は、ワークフロー制御システム３００の機能的構成を示すブロック図である。ワークフロー制御システム３００は、デザイン装置１００から受け取った特定形式の印刷物データ（ＰＤＦデータやＰｏｓｔＳｃｒｉｐｔデータ）を処理するために以下のような処理部の機能を有している。
【００２８】
（１）プリフライト処理部３１０：
プリフライト処理は、いわゆる前処理であり、印刷物データの内容を解析して、製版用の処理を問題無く実行できるか否かを確認するための処理である。例えば、ＰＤＦファイルやＰｏｓｔＳｃｒｉｐｔファイルの記述から、（ｉ）文書内にリンクが張られているオブジェクトのファイルの有無、（ｉｉ）標準的でないフォントデータの文書内への埋め込みの有無、などが確認される。不足しているデータやファイルがある場合には、データの追加や仕様の変更をユーザに要求する。また、印刷物データは、プリフライト処理部３１０によって表示用解像度（例えば７２ｄｐｉ）でＲＩＰ展開され、展開された展開データ（「プレビュー用ＲＩＰ展開データ」とも呼ぶ）に従って印刷物画像が表示部４００（図１）に表示される。ユーザは、表示部４００に表示された印刷物画像を用いて、適切な印刷物データであるか否かの確認を行うことができる。
【００２９】
（２）台割面付け処理部３２０：
いわゆる台割処理や面付け処理（１枚の刷版に複数のページを配置する処理）を行う。また、処理が行われたデータを簡易プルーフ用ＲＩＰ展開データに展開し、このデータに応じた校正刷りを簡易プルーフ出力機４１０（図１）に出力させる機能も有している。ユーザは、出力された校正刷りを確認することによって、校正を行うことができる。大きさが異なる複数種類の出力を行う場合には、それぞれの大きさに応じた台割処理や面付け処理が行われる。例えば、簡易プルーフ出力の大きさと、プレート出力の大きさとが異なる場合には、それぞれの出力用の台割処理や面付け処理が行われる。
【００３０】
（３）自動製版処理部３３０：
いわゆる、スミノセや、白フチ、トラッピングなどの処理を行う。
【００３１】
（４）網点プルーフ処理部３４０：
いわゆる、ＲＩＰ展開処理（Ｒａｓｔｅｒ  Ｉｍａｇｅ  Ｐｒｏｃｅｓｓｉｎｇ）や網点処理（網掛け処理）を行い、各インク色（例えば、ＹＭＣＫの４色）の刷版を表すラスタデータ（「網点プルーフ用ＲＩＰ展開データ」とも呼ぶ）を出力用解像度（例えば、４０００ｄｐｉ）に合わせて作成する。網点プルーフ用ＲＩＰ展開データに応じた校正刷りは、網点プルーフ出力機４２０（図１）より出力される。ユーザは、出力された校正刷りを確認することによって、校正を行うことができる。
【００３２】
（５）最終出力処理部３５０：
最終的な印刷物データをＲＩＰ展開することによって、プレート出力機４３０に適した出力データ（「本出力用ＲＩＰ展開データ」と呼ぶ）を作成する。作成された出力データはプレート出力機４３０に転送され、出力データに応じた刷版がプレート出力機４３０によって作成される。
【００３３】
（６）工程間検版実行部３６０：
異なる工程で作成されたＲＩＰ展開データを用いた検版を行う。検版処理の詳細については後述する。
【００３４】
（７）画像データ記憶部３７０：
検版用のＲＩＰ展開データ（「検版用データ」あるいは「検版用画像データ」とも呼ぶ）を必要に応じて記憶する。
【００３５】
ワークフロー制御システム３００は、さらに、これらの各処理部３１０〜３７０の動作を制御するための制御部３９０を備えている。制御部３９０は、パラメータ決定部３９２を備えており、ユーザは、パラメータ決定部３９２を介して、各処理部３１０〜３７０の制御パラメータを設定することができる。１つの製版作業（「ジョブ」と呼ぶ。）に対する各種の制御パラメータは、ジョブチケットＪＴと呼ばれるデータファイルにまとめられる。すなわち、各処理部３１０〜３７０が１つのジョブを実行する際には、ジョブチケットＪＴ内の制御パラメータに従って各処理部の処理内容が制御される。
【００３６】
なお、ワークフロー制御システム３００の各処理部３１０〜３７０や制御部３９０の機能は、ワークフロー制御システム３００の図示しないハードディスクに格納されたコンピュータプログラムをコンピュータ（ワークフロー制御システム３００）が実行することによって実現される。
【００３７】
Ｂ．第１実施例：
図３は、第１実施例の印刷製版工程における検版方法を示す説明図である。この例では、図２に示す各処理部３１０〜３５０が、元の印刷物データＰＤ０に対して、プリフライト処理（ステップＳ１１）と、台割面付け処理（ステップＳ１２）と、自動製版処理（ステップＳ１３）と、網点プルーフ出力処理（ステップＳ１４）と、最終出力処理（ステップＳ１５）とを順次実行する。最初の３つの工程Ｓ１１〜Ｓ１３では、元の印刷物画像データＰＤ０に順次変更が加えられて、処理済みの印刷物データＰＤ１，ＰＤ２，ＰＤ３がそれぞれ作成される。これらの印刷物データＰＤ０〜ＰＤ３は、通常は、文字（テキスト）と図形（ベクトル図形）とビットマップ画像とがそれぞれ異なる種類の部品として表現されているデータである。このような印刷物データの形式としては、ＰｏｓｔＳｃｒｉｐｔ、ＥＰＳ（Ｅｎｃａｐｓｕｌａｔｅｄ  ＰｏｓｔＳｃｒｉｐｔ）（いずれもアドビシステムズ社の商標）、ＰＤＦなどのページ記述言語形式のデータを利用可能である。網点プルーフ出力工程Ｓ１４では、印刷物データＰＤ３から網点プルーフ用ＲＩＰ展開データＲＩＰＤ３が作成されるだけであり、印刷物データＰＤ３には変更は加えられずに最終出力工程Ｓ１５に引き渡される。最終出力工程Ｓ１５では、この印刷物データＰＤ３から最終的なＲＩＰ展開データＲＩＰＤ４（２値刷版データまたは２値印刷物データ）が作成される。
【００３８】
プリフライト処理部３１０は、プリフライト処理の後に、プリフライト処理済みの印刷物データＰＤ１をＲＩＰ展開することによってプレビュー用ＲＩＰ展開データＲＩＰＤ１を作成し、このデータＲＩＰＤ１に基づいて印刷物画像を表示部４００に表示する（ステップＳ２１）。また、台割面付け処理部３２０は、台割面付け処理済みの印刷物データＰＤ２をＲＩＰ展開することによって簡易プルーフ用ＲＩＰ展開データＲＩＰＤ２を作成し、このデータＲＩＰＤ２に基づいて簡易プルーフを出力する（ステップＳ２２）。前述したように、網点プルーフ出力工程では印刷物データＰＤ３から網点プルーフ用ＲＩＰ展開データＲＩＰＤ３が作成され、最終出力工程（ステップＳ１４）では本出力用ＲＩＰ展開データＲＩＰＤ４が作成される。これらのＲＩＰ展開データＲＩＰＤ１〜ＲＩＰＤ４は、画像データ記憶部３７０（図２）に格納される。
【００３９】
プレビュー用ＲＩＰ展開データＲＩＰＤ１は、例えば、ＲＧＢ表色系で表された多値画像データであり、表示部４００における表示に適した形式を有したデータである。また、他のＲＩＰ展開データＲＩＰＤ２〜ＲＩＰＤ４も、それぞれの画像出力装置に適した形式を有している。これに対して、ＲＩＰ展開前の印刷物データＰＤ１〜ＰＤ３は、上述したように、文字と図形とビットマップ画像とが異なる部品として表現されているデータである点でＲＩＰ展開画像と異なっている。本明細書では、ＲＩＰ展開される前の印刷物データＰＤ０〜ＰＤ３を、「未展開データ」とも呼ぶ。
【００４０】
なお、本明細書において、「ＲＩＰ展開データ」とはラスタイメージデータ（走査線順次に表現されているデータ）を意味している。このようなＲＩＰ展開データは、種々の形式で表現することが可能である。本実施例において、ＲＩＰ展開データの表現形式（「ＲＩＰ展開条件」と呼ぶ）は、以下のようなパラメータＰ１〜Ｐ５によって規定される。
（Ｐ１）解像度：解像度は画素ピッチを規定するものを意味している。解像度の値としては、７２ｄｐｉ（表示用）、２０００ｄｐｉ、４０００ｄｐｉなどの種々の解像度を利用可能である。
（Ｐ２）階調数：１画素当たりの画素値の取りうる値であり、１画素当たりのビット数によって決まる値である。階調数としては、２値（０，１の２階調）や多値（例えば０〜２５５の２５６階調）を利用可能である。
（Ｐ３）表色系：ＲＧＢ表色系、ＹＭＣＫ表色系、ＹＣＣ表色系などの種々の表色系を利用可能である。
（Ｐ４）トーン再現：いわゆるドットゲイン特性を意味しており、種々のドットゲイン特性を利用可能である。
（Ｐ５）圧縮方法：所望の圧縮アルゴリズムと圧縮率を利用可能である。圧縮方法は、画質を表す指標としても使用できる。
【００４１】
これらの種々のパラメータをＲＩＰ展開条件として設定し、これに応じて未展開データを展開することによって、種々のＲＩＰ展開データを得ることができる。例えば、図３に示した４種類のＲＩＰ展開データＲＩＰＤ１〜ＲＩＰＤ４に対しては、それぞれ以下のようなパラメータＰ１〜Ｐ５が設定される。
【００４２】
・プレビュー用ＲＩＰ展開データＲＩＰＤ１：
（Ｐ１）解像度＝７２ｄｐｉ
（Ｐ２）階調数＝８ビット／１色／１画素
（Ｐ３）表色系＝ＲＧＢ
（Ｐ４）トーン再現：ドットゲイン無し
（Ｐ５）圧縮方法：圧縮なし
【００４３】
・簡易プルーフ用ＲＩＰ展開データＲＩＰＤ２：
（Ｐ１）解像度＝６００ｄｐｉ
（Ｐ２）階調数＝８ビット／１色／１画素
（Ｐ３）表色系＝ＹＭＣＫ
（Ｐ４）トーン再現：ドットゲイン無し
（Ｐ５）圧縮方法：ＪＰＥＧ方式
【００４４】
・網点プルーフ用ＲＩＰ展開データＲＩＰＤ３：
（Ｐ１）解像度＝２４００ｄｐｉ
（Ｐ２）階調数＝１ビット／１色／１画素
（Ｐ３）表色系＝ＹＭＣＫ
（Ｐ４）トーン再現：網点プルーフ用ドットゲイン特性
（Ｐ５）圧縮方法：１ビットＴＩＦＦ方式
【００４５】
・本出力用ＲＩＰ展開データＲＩＰＤ４：
（Ｐ１）解像度＝４０００ｄｐｉ
（Ｐ２）階調数＝１ビット／１色／１画素
（Ｐ３）表色系＝ＹＭＣＫ
（Ｐ４）トーン再現：本出力用ドットゲイン特性
（Ｐ５）圧縮方法：１ビットＴＩＦＦ方式
【００４６】
第１実施例の工程間検版実行部３６０は、ＲＩＰ展開部３６２と、比較部３６４とを含んでおり、異なる工程において作成された未展開データを用いて検版を実行することが可能である。図３の例では、ＲＩＰ展開部３６２は、台割面付け工程後の未展開データＰＤ２と、自動製版処理工程後の未展開データＰＤ３とを、同一の標準ＲＩＰ展開条件を用いてＲＩＰ展開することによって、それぞれの検版用ＲＩＰ展開データＣＤ２，ＣＤ３を作成する。
【００４７】
標準ＲＩＰ展開条件としては、任意の条件を予め設定可能である。例えば、標準ＲＩＰ展開条件を、検版以外の処理工程で使用されるＲＩＰ展開条件（上述の４種類のＲＩＰ展開条件）のいずれか１つと同じ条件に設定してもよく、あるいはこれらとは異なる条件に設定してもよい。但し、工程間の検版は、主として最初に製版工程（図３のステップＳ１１〜Ｓ１５）を実行する際（すなわち初校の際）に行われるので、標準ＲＩＰ展開条件としては、簡易プルーフ用ＲＩＰ展開条件のように、最終的な刷版出力工程における解像度よりも低い解像度を用いれば、検版精度上十分であり、また、検版も短時間で済むという利点がある。
【００４８】
比較部３６４は、これらの検版用ＲＩＰ展開データＣＤ２，ＣＤ３を比較することによって検版結果データを作成して出力する。具体的には、例えば、比較部３６４は、２つの検版用ＲＩＰ展開データＣＤ２，ＣＤ３の画素値の差分を画素毎に求め、各画素の差分で構成された画像データを検版結果データとして作成する。検版結果データは、表示部４００に表示してもよく、あるいは、プリントアウトしても良い。
【００４９】
図４は、検版結果データに基づいて表示部４００に表示された検版結果の一例を示す説明図である。図４（Ａ）は、２つの検版用ＲＩＰ展開データに差異のない場合を示している。この画像は、円形の２つの部品ＯＢ１，ＯＢ２と、文字（テキスト）の部品ＯＢ３とを含んでいる。２つの検版用ＲＩＰ展開データに差異のない場合には、各部品ＯＢ１，ＯＢ２，ＯＢ３は薄い目立たない色でそれぞれ表示されている。図４（Ｂ）は、２つの検版用ＲＩＰ展開データに差異がある場合を示している。すなわち、円形の２つの部品ＯＢ１，ＯＢ２の上部において、２つの検版用ＲＩＰ展開データに大きな差異があり、この部分が目立つ色で表示されている。この結果、検版作業者は、この検版結果を観察することによって、印刷物が正しいか否かを判断することが可能である。
【００５０】
なお、一般に、検版結果においては、２つの検版用ＲＩＰ展開データの画素値の差分が所定の閾値以上の画素を目立たない表示態様で表示し、一方、画素値の差分が閾値よりも小さな画素を目立つ表示態様で表示するようにすることが好ましい。このような表示態様の違いとしては、色や点滅の有無などを利用することができる。閾値としては、任意の値を採用することが可能である。例えば、画素値の差分が０でなければ差異があるものとして目立つ表示を行うようにしてもよい。
【００５１】
以上のように、第１実施例では、異なる工程で得られた未展開データＰＤ２，ＰＤ３を共通のＲＩＰ展開条件でＲＩＰ展開することによって検版用ＲＩＰ展開データＣＤ２，ＣＤ３を作成し、これらを比較することによって検版を行うようにしたので、異なる工程間の印刷物データＰＤ２，ＰＤ３に関して検版を行うことが可能である。このような利点は、特に、図３に示した製版工程Ｓ１１〜Ｓ１５を最初に実行する際に顕著である。すなわち、この製版工程Ｓ１１〜Ｓ１５を最初に実行する際には、網点プルーフ用ＲＩＰ展開データＲＩＰＤ３が初めて作成されるので、このＲＩＰ展開データＲＩＰＤ３に関して検版を実行しようとしても、その校正前の網点プルーフ用ＲＩＰ展開データが存在しないために検版ができないのが普通である。これに対して、第１実施例では、異なる工程で得られた未展開データＰＤ２，ＰＤ３を共通のＲＩＰ展開条件でＲＩＰ展開しているので、製版工程Ｓ１１〜Ｓ１５を最初に実行する際にも、検版を実行できるという利点がある。
【００５２】
Ｃ．第２実施例：
図５は、第２実施例の製版工程における検版方法を示す説明図である。図３に示した第１実施例との違いは、工程間検版実行部３６０ａがＲＩＰ展開部３６２の代わりに展開条件変換部３６６を含む点だけである。展開条件変換部３６６は、簡易プルーフ用ＲＩＰ展開データＲＩＰＤ２と網点プルーフ用ＲＩＰ展開データＲＩＰＤ３を、予め決定された変換プロファイルＣＰＦ２，ＣＰＦ３に従ってそれぞれ変換することによって、検版用ＲＩＰ展開データＣＤ２，ＣＤ３を作成する。
【００５３】
ここで、「変換プロファイル」とは、変換内容を規定したデータを意味している。すなわち、変換プロファイルは、ＲＩＰ展開条件の５つのパラメータ（解像度、階調数、表色系、トーン再現、圧縮方法）のそれぞれの変換に必要な特性値を含んでいる。以下では、各パラメータに関する変換方法について順次説明する。
【００５４】
図６は、解像度の変換方法を示す説明図である。よく知られているように、解像度変換は、高解像度の画像と低解像度の画像との相互変換である。この例では、低解像度画素ＰＸＬが、４×４個の高解像度画素ＰＸＨに対応している。画像の低解像度化は図示していないが、高解像度画素ＰＸＨの単純平均や、加重平均を取ることによって実現できる。画像の高解像度化方法としては、例えば、図６（Ｂ）に示すような単純な画素水増しを用いることができる。この単純水増しは、１個の低解像度画素ＰＸＬをＮ×Ｎ個の高解像度画素ＰＸＨに置き換えて、低解像度画素ＰＸＬの画素値と高解像度画素ＰＸＨの画素値を同一の値に維持する方法である。図６（Ｃ）に示す選択変換では、低解像度画素ＰＸＬに応じてＮ×Ｎ個の高解像度画素の画素値が取りうる複数のパターンＰＴ１，ＰＴ２，ＰＴ３，ＰＴ４…を予め用意しておき、その中の１つのパターンを選択する方法である。どのパターンを選択するかは、変換対象の低解像度画素ＰＸＬの画素値との周囲の低解像度画素の画素値との関係に応じて決定することができる。低解像度と高解像度の比が整数で無い場合には、高解像度化の際に高解像度画素の画素値の補間を行うことが好ましい。なお、図６（Ｂ），（Ｃ）以外の高解像度化方法も採用可能である。変換プロファイルＣＰＦ２，ＣＰＦ３（図５）には、ＲＩＰ展開データＲＩＰＤ２，ＲＩＰＤ３の解像度と、標準ＲＩＰ展開条件の解像度との関係を示す解像度情報（例えば解像度の比）が含まれている。従って、展開条件変換部３６６は、この解像度情報を用いてＲＩＰ展開データの解像度を変換することができる。
【００５５】
図７は、階調数変換の一例として２値画像の多値化処理の手順を示すフローチャートである。一般に、２値画像の多値化処理は、デスクリーニング処理と呼ばれているものである。デスクリーニング処理では、まず、２値画像の解像度ＲＢ［ｄｐｉ］と、網点サイズＤＳ（スクリーン線数）［線／インチ］とから、マスクサイズＭＳ＝ＲＢ／ＤＳ［画素］を算出する（ステップＴ１）。例えば、ＲＢ＝２４００ｄｐｉ，ＤＳ＝１５０線／インチの場合には、マスクサイズＭＳは１６［画素］である。なお、マスクサイズＭＳとしては、ＲＢ／ＤＳで得られた整数値以上の最小の奇数を採用してもよい。ステップＴ２では、このマスクサイズＭＳを一辺とするマスクを用いて２値画像の画素値の加重平均を求め、これによってマスク位置における多値画像の画素値を求める。このステップＴ２は、２値画像の画像領域内でマスクを１画素ずつ順次移動しながら行われる。この結果、元の２値画像と同じ解像度を有する多値画像を得ることができる。例えば、１６×１６画素のマスクを用いると、０〜２５５の階調値を有する８ビットの多値画像が得られる。また、１７×１７画素のマスクを用いた場合には、０〜２８８の階調値が得られるが、これを０〜２５５の階調値に規格化することによって８ビットの多値画像を得ることができる。なお、このような多値化の後、必要に応じて解像度変換を行ってもよい。
【００５６】
多値画像の２値化は、一般にハーフトーン化と呼ばれる周知の処理であり、ここではその詳細の説明は省略する。変換プロファイルＣＰＦ２，ＣＰＦ３（図５）には、ＲＩＰ展開データＲＩＰＤ２，ＲＩＰＤ３の１画素当たりの階調数と、標準ＲＩＰ展開条件の階調数との関係を示す階調数情報が含まれている。
【００５７】
図８は、２値画像の表色系変換の処理手順を示すフローチャートである。ステップＴ１１では、まず、２値画像にデスクリーニング処理（図７）を施すことによって、多値画像を求める。ステップＴ１２では、この多値画像に対してルックアップテーブルを用いた表色系の変換を実行する。このルックアップテーブルは、よく知られているように、例えばＲＧＢ表色系からＹＭＣＫ表色系への変換や、その逆の変換を表すテーブルである。変換プロファイルＣＰＦ２，ＣＰＦ３（図５）には、このような色変換用ルックアップテーブルが含まれている。ステップＴ１３では、表色系が変換された後の多値画像に対して２値化（ハーフトーン化）を行うことによって、変換後の表色系で表現された２値画像を作成する。なお、元のＲＩＰ展開データが多値画像である場合には、ステップＴ１１，Ｔ１３は不要である。
【００５８】
図９は、２値画像のトーン再現特性の変換手順を示すフローチャートである。
ステップＴ２１では、２値画像にデスクリーニング処理（図７）を施すことによって、多値画像を求める。ステップＴ２２では、この多値画像に対してルックアップテーブルを用いたトーン再現特性の変換を実行する。トーン再現特性（ドットゲイン特性）は、図９の下に示すように、入出力のトーン（階調）の関係として与えられる。従って、例えば簡易プルーフ用ＲＩＰ展開データＲＩＰＤ２のトーン再現特性が標準ＲＩＰ展開条件のトーン再現特性と異なる場合には、その差を解消するような入出力特性を有するルックアップテーブルが変換プロファイルに含まれている。ステップＴ２３では、表色系が変換された後の多値画像に対して２値化（ハーフトーン化）を行うことによって、変換後の表色系で表現された２値画像を作成する。なお、元のＲＩＰ展開データが多値画像である場合には、ステップＴ２１，Ｔ２３は不要である。
【００５９】
図１０は、圧縮方法の変換手順を示すフローチャートである。ステップＴ３１では、ＲＩＰ展開データが圧縮されている場合に、そのＲＩＰ展開データを伸長する。ステップＴ３２では、伸長されたＲＩＰ展開データを、所望の圧縮方法（第２実施例では標準ＲＩＰ展開条件の圧縮方法）で圧縮する。変換プロファイルＣＦＰ２，ＣＰＦ３（図５）には、各ＲＩＰ展開データＲＩＰＤ２，ＲＩＰＤ３の圧縮方法と、標準ＲＩＰ展開条件の圧縮方法とを示す圧縮方法情報が含まれている。
【００６０】
展開条件変換部３６６（図５）は、上述した種々の処理を利用することによって、２つのＲＩＰ展開データＲＩＰＤ２，ＲＩＰＤ３をそれぞれ標準ＲＩＰ展開条件に変換して、検版用ＲＩＰ展開データＣＤ２，ＣＤ３を作成する。なお、ＲＩＰ展開データＲＩＰＤ２，ＲＩＰＤ３が有するＲＩＰ展開条件の５つのパラメータの値のうち、標準ＲＩＰ展開条件と等しいものに関しては変換は不要である。比較部３６４は、こうして得られた検版用ＲＩＰ展開データＣＤ２，ＣＤ３を比較することによって、図４に示したような検版結果を出力する。
【００６１】
換言すれば、展開条件変換部３６６は、異なる工程で作成された２つのＲＩＰ展開データを、予め決定されたそれぞれの変換プロファイルに従って変換することによって、標準ＲＩＰ展開条件で表現されたデータに変換する機能を有している。但し、展開条件変換部３６６は、全ての条件（パラメータ）を標準ＲＩＰ展開条件に合わせる必要は無く、ＲＩＰ展開条件のうちの少なくとも一部の特定の条件（例えば解像度と階調数のみ）を、標準ＲＩＰ展開条件に合わせるように変換するものとしても良い。なお、標準ＲＩＰ展開条件は、最終的な刷版出力工程における解像度よりも低い解像度をパラメータとして含むことが好ましい。こうすれば、製版工程の途中における検版を、より短時間で効率良く行うことができるという利点がある。
【００６２】
以上のように、第２実施例では、２つのＲＩＰ展開データをそれぞれ標準ＲＩＰ展開条件に合わせるように変換するので、製版工程途中の２つの異なる工程で作成されたＲＩＰ展開データを利用して検版を実行することが可能である。
【００６３】
Ｄ．第３実施例：
図１１は、第３実施例の製版工程における検版方法を示す説明図である。図５に示した第２実施例との違いは、工程間検版実行部３６０ｂ内の展開条件変換部３６６ｂが、２つのＲＩＰ展開データのうちの一方のみを変換する点だけである。より具体的に言えば、図１１の例では、展開条件変換部３６６ｂは、網点プルーフ用ＲＩＰ展開データＲＩＰＤ３を簡易プルーフ用ＲＩＰ展開条件に変換している。従って、変換プロファイルＣＰＦとしては、網点プルーフ用ＲＩＰ展開条件と、簡易プルーフ用ＲＩＰ展開条件との関係を示す情報を含むものが使用される。なお、この展開条件変換部３６６ｂは、ＲＩＰ展開条件のうちの全ての条件（パラメータ）を合わせる必要は無く、ＲＩＰ展開条件のうちの少なくとも一部の特定の条件（例えば解像度と階調数のみ）を合わせるように変換を行っても良い。
【００６４】
比較部３６４は、展開条件変換部３６６ｂで得られた検版用ＲＩＰ展開データＣＤ３を、簡易プルーフ用ＲＩＰ展開データＲＩＰＤ２と比較して、検版結果を出力する。以上のように、第３実施例では、２つのＲＩＰ展開データのうちの一方を他方のＲＩＰ展開データのＲＩＰ展開条件に合わせるように変換するので、製版工程途中の２つの異なる工程で作成されたＲＩＰ展開データを利用して検版を実行することが可能である。また、２つのＲＩＰ展開データのうちの一方のみを変換すれば良いので、第１実施例や第２実施例に比べて変換処理の負担が軽いという利点がある。
【００６５】
以上の３つの実施例から理解できるように、本発明では、製版工程の中の異なる処理工程で作成された２つの印刷物画像データから、同一のＲＩＰ展開条件で展開された２つの検版用ＲＩＰ展開データＣＤ２，ＣＤ３を作成し、これらのデータＣＤ２，ＣＤ３を比較することによって検版結果を得るようにシステムや方法が構成されている。
【００６６】
Ｅ．第４実施例：
図１２は、第４実施例の製版工程を示す説明図である。図５に示した第２実施例との違いは、工程間検版実行部３６０ｃに画像領域抽出部３６８が追加されている点だけである。画像領域抽出部３６８は、異なるページレイアウトがなされた２つの印刷物画像データから、対応する印刷物ページを抽出する処理を実行する（詳細は後述する）。その後の処理は、第２実施例と同じである。なお、第１実施例の工程間検版実行部３６０（図３）や、第３実施例の工程間検版実行部３６０ｂ（図１１）に画像領域抽出部３６８を追加するようにしてもよい。
【００６７】
図１３は、第４実施例における、表示部４００上から制御パラメータの設定を行う様子を示す説明図である。第４実施例では、表示部４００（図１）に、図１３に示す画面が表示される。ユーザは、この画面を操作することによって、１つのジョブ（印刷製版作業）のフローパターンの設定と、各処理工程の制御パラメータの設定とを行うことができる。図示されているように、画面中には、ジョブチケットの名称を設定するチケット名称設定部ＴＮと、処理工程の流れを設定するフローパターン設定部ＦＡと、フローパターン中の各処理の制御パラメータを設定する制御パラメータ設定部ＰＡと、設定した内容を確認するための確認ボタンＢＯと、設定した内容を破棄するためのキャンセルボタンＢＣとを有している。
【００６８】
チケット名称設定部ＴＮは、ジョブチケットＪＴ（図２）を識別するための名称を設定するフィールドを含んでいる。ジョブチケットＪＴは、各処理工程の制御パラメータを含んだデータファイルである。新しい名称を設定することで、新規のジョブの設定を行うことができる。校正後の印刷物データの処理を行う場合には、前回使用した名称を設定することによって、同じ設定での処理を行うことができる。
【００６９】
フローパターン設定部ＦＡは、実行される処理のフローパターンの設定と確認を行うため設定部である。図１３に示した例では、図１２に示した処理の流れに応じたフローパターンが示されている。フローパターン内における「プルーフ１」は簡易プルーフ出力工程Ｓ２２（図１２）に対応し、「プルーフ２」は網点プルーフ校正刷りの出力に対応している。また、「ＲＩＰ」「網点」は、それぞれ、ＲＩＰ展開処理と網掛け処理とを表している。図１３のフローパターンでは、３つの工程間検版が設定されている。第１の工程間検版では、簡易プルーフ用のＲＩＰ展開データＲＩＰＤ２と、プレビュー画面表示用に作成されたＲＩＰ展開データＲＩＰＤ１とを用いて検版が行われる。第２の工程間検版は、網点プルーフ用のＲＩＰ展開データＲＩＰＤ３と、簡易プルーフ出力用に作成されたＲＩＰ展開データＲＩＰＤ２とを用いて検査する工程である。第３の工程間検版は、最終出力用のＲＩＰ展開データＲＩＰＤ４と、網点プルーフ出力用に作成されたＲＩＰ展開データＲＩＰＤ３とを用いて検査する工程であり、最終的な出力を行う前に実行される。図１２に示した工程間検版実行部３６０ｃは、図１３の第３の工程間検版を実行する際の状態を示しているが、第１と第２の工程間検版もこの工程間検版実行部３６０ｃによって実行される。
【００７０】
図１３に示す制御パラメータ設定部ＰＡは、フローパターン設定部ＦＡに示される各処理工程の制御パラメータの設定と確認を行うための画面領域である。この第４実施例では、ユーザは、フローパターン設定部ＦＡにおいて選択した処理工程（太枠で示された処理工程）に関する制御パラメータの設定を、制御パラメータ設定部ＰＡを介して行うことができる。図１３の例では、フローパターン設定部ＦＡにおいて「面付」が選択されており、「面付」の制御パラメータを設定するための４つのボタン（ページ割り当て設定ボタンＢＰＬ、プルーフ１レイアウト設定ボタンＢＰ１、プルーフ２レイアウト設定ボタンＢＰ２、ＣＴＰレイアウト設定ボタンＢＣＴＰ）が制御パラメータ設定部ＰＡ内に表示されている。ページ割り当て設定ボタンＢＰＬは、印刷物画像データと、実際に印刷される印刷物のページとの対応関係を設定するためのボタンである。プルーフ１レイアウト設定ボタンＢＰ１と、プルーフ２レイアウト設定ボタンＢＰ２と、ＣＴＰレイアウト設定ボタンＢＣＴＰとは、それぞれ、プルーフ１（簡易プルーフ）、プルーフ２（網点プルーフ）、プレートの出力を行う際に用いる印刷物ページレイアウト条件を設定するためのボタンである（詳細は後述）。
【００７１】
図１４は、図１３に示す画面におけるページ割り当て設定ボタンＢＰＬを操作することによって表示される画面を示す説明図である。ユーザは、この画面を操作することによって、印刷物画像データと、実際に印刷される印刷物のページとの対応関係を設定することができる。図示されているように、画面中には、印刷物のページの大きさを設定するページサイズ設定部ＭＰＳと、実際の印刷物のページを設定するための印刷物ページテーブルＴＰＰと、各印刷物ページに用いる印刷物画像データを格納したファイル名を設定するためのファイル名テーブルＴＦＮと、印刷物画像データの中の利用するページを設定するための利用ページテーブルＴＵＰと、設定した内容を確認するための確認ボタンＢＯと、設定した内容を破棄するためのキャンセルボタンＢＣとが表示されている。
【００７２】
ページサイズ設定部ＭＰＳは、最終的な印刷物のページの大きさを設定するためのメニューを含んでおり、図１４の例では、「Ａ４」サイズが選択されている。
【００７３】
印刷物ページテーブルＴＰＰと、ファイル名テーブルＴＦＮと、利用ページテーブルＴＵＰには、印刷物ページに対応する印刷物画像データのファイル名とそのデータの中の利用するページとが同じ行に記されている。例えば、図１４に示す行Ｒ１は、印刷物のページ番号１６〜２４の９ページに、「２章．ＰＤＦ」という名前の印刷物画像データファイルのページ番号５〜１３の９ページが割り当てられること示している。このように、印刷物画像データが格納された複数のファイルを用いる場合にも、ページ割り当てを行うことによって、適切な印刷製版を行うことができる。
【００７４】
図１５は、図１３に示す画面においてプルーフ１レイアウト設定ボタンＢＰ１を操作することによって表示される画面を示す説明図である。ユーザは、この画面を操作することによって、簡易プルーフ（プルーフ１）の校正刷りを行う際に用いる印刷物ページレイアウト条件の設定を行うことができる。図示されているように画面中には、面数（１ページの出力ページに配置する印刷物ページのページ数）を設定するための面数設定部ＭＮと、出力ページに対する印刷物ページの位置と、向きと、ページ番号の組み合わせとを設定するためのページレイアウト設定部ＬＡと、設定した内容を確認するための確認ボタンＢＯと、設定した内容を破棄するためのキャンセルボタンＢＣとが表示されている。
【００７５】
面数設定部ＭＮは、１枚の出力ページに対する印刷物ページの配置数を設定するためのフィールドを含んでおり、ユーザは、縦方向と横方向のそれぞれの方向についてのページ数を設定することができる。図１５の例では、縦と横に１ページずつ、すなわち、１ページの出力ページに１ページの印刷物ページが割り当てられている。
【００７６】
ページレイアウト設定部ＬＡには、図１４の画面で設定された印刷物ページの大きさに応じた印刷物ページ領域ＰＰＡと、出力装置（この例では、簡易プルーフ出力機４１０（図１））の出力ページの大きさに応じた台紙領域ＰＭＡと、台紙領域ＰＭＡ内における印刷物ページ領域ＰＰＡの位置とが示されている。ユーザはこれらの位置を操作することによって、台紙領域ＰＭＡにおける印刷物ページ領域ＰＰＡの位置を設定することができる（なお、複数の出力ページが出力される場合には、設定された位置設定が共通して用いられる）。また、印刷物ページ領域ＰＰＡ内に記された矢印と数字は、印刷物ページの向きとページ番号の組み合わせを表しており、ユーザは、台紙領域ＰＭＡ内における印刷物ページの向き（角度）や、印刷物ページのページ番号の組み合わせを任意に設定することができる。図１５の例では、ページ番号１が割り当てられている。２ページ目以降の出力ページにも、順番に印刷物ページが１ページずつ割り当てられる。印刷物ページのページ番号の組み合わせは、特に、１つの台紙領域ＰＭＡに複数の印刷物ページ領域ＰＰＡを割り当てる場合に、出力結果の裁断や折り方などの製本方法を考慮して設定される（複数のページを割り当てる場合については後述する）。このように印刷物ページレイアウト条件を設定すれば、印刷物の各ページが、何枚目の出力ページのどの位置にどの向きに配置されるかを適切に設定することができる。なお、設定された印刷物ページレイアウト条件はジョブチケットＪＴ（図２）に格納され、簡易プルーフ出力工程Ｓ２２（図１２）において、簡易プルーフ用ＲＩＰ展開画像データＲＩＰＤ２を作成する際に利用される。
【００７７】
図１６は、図１３に示す画面においてプルーフ２レイアウト設定ボタンＢＰ２を操作することによって表示される画面を示す説明図である。ユーザは、この画面を操作することによって、網点プルーフ（プルーフ２）の校正刷りを行う際に用いる印刷物ページレイアウト条件の設定を行うことができる。画面構成とユーザが設定可能な内容は図１５に示す例と同じである。この例では、１つの台紙領域ＰＭＡに２つの印刷物ページ領域ＰＰＡ１とＰＰＡ２が割り当てられている。
ページ番号の組み合わせとしては、左に位置する印刷物ページ領域ＰＰＡ１にページ番号１が割り当てられ、右に位置する印刷物ページ領域ＰＰＡ２にページ番号２が割り当てられている。２ページ目以降の出力ページにも、同様の順番に２つの印刷物ページが割り当てられる。その結果、左側に奇数ページ、右側に偶数ページが割り当てられる。
【００７８】
図１７は、図１３に示す画面においてＣＴＰレイアウト設定ボタンＢＣＰＴを操作することによって表示される画面を示す説明図である。ユーザは、この画面を操作することによって、最終的なプレートの出力を行う際に用いる印刷物ページレイアウト条件の設定を行うことができる。画面構成とユーザが設定可能な内容は図１５に示す例と同じである。この例では、１つの台紙領域ＰＭＡに４つの印刷物ページ領域ＰＰＡ１〜ＰＰＡ４が割り当てられている。ページ番号の組み合わせと向きについては、最終的な印刷物の製本方法を考慮し、１、４、５、８ページの４つの印刷物ページが、製本した際に正しい順序と向きに揃うように割り当てられている。２ページ目以降の出力ページについても同様に、製本方法を考慮して、適宜、印刷物ページが割り当てられる。なお、１つの台紙領域に配置される印刷物ページ数が同じ（この例では４つ）であっても、印刷物の綴じ方が異なれば、割り当てられる印刷物ページの番号の組み合わせや向きが異なる場合もある。
【００７９】
図１８は、印刷物ページレイアウト条件を用いた検版を説明する説明図である。この例では、最終出力用の台紙画像データ（最終出力用ＲＩＰ展開画像データ）ＲＩＰＤ４と、網点プルーフ校正において承認された台紙画像データ（網点プルーフ用ＲＩＰ展開画像データ）ＲＩＰＤ３とを比較する検版工程において、４ページ目（ページ番号が４）の印刷物ページを比較検査する場合を説明している。なお、本明細書において、「台紙画像データ」とは、１つ以上の印刷物ページが配置可能な台紙上に印刷物ページがレイアウトされた画像を表すデータを意味している。
【００８０】
検版実行部３６０ｃの画像領域抽出部３６８（図１２）は、まず、ジョブチケットＪＴに格納された印刷物ページレイアウト条件を用い、台紙画像データの中から、１ページ分の画像データを切り出す処理を行う。例えば、４ページ目の印刷物ページの比較を行う際には、網点プルーフに用いた台紙画像データＲＩＰＤ３の中から、４ページ目（ページ番号４）の有効領域の画像データＲＩＰＤ３Ｐ４を切り出す。同様に、最終出力用の台紙画像データＲＩＰＤ４の中から、４ページ目（ページ番号４）の有効領域の画像データＲＩＰＤ４Ｐ４を切り出す。ここで「有効領域」とは、実際のページに印刷される領域を意味する。そのページを構成する画像部品がこの有効領域からはみ出している場合には、有効領域内の画像部分だけが抽出される。図１８の例では、台紙画像データＲＩＰＤ４内において４ページ目が回転して配置されているため、画像領域抽出部３６８が、４ページ目に対応する画像データＲＩＰＤ４Ｐ４を、印刷物ページレイアウト条件に従って回転させ、画像データＲＩＰＤ３Ｐ４と同じ向きの画像データＲＩＰＤ４Ｐ４ａを作成する。次に、展開条件変換部３６６が、標準ＲＩＰ展開条件に合致するように２つの画像データＲＩＰＤ３Ｐ４，ＲＩＰＤ４Ｐ４ａを変換する。そして、比較部３６４が、変換後の２つの画像データＣＤ３，ＣＤ４（図１２）の比較を行う。
【００８１】
図１９は、検版結果にエラーが含まれていた場合におけるアラート表示画面の一例を示している。このアラート表示画面（警告表示画面）には、２つの印刷物画像ページに不一致があることをユーザ（作業者）に通知する文字が表示されている。ユーザは、処理をそのまま続行したい場合には「ＯＫ」ボタンＢ１を押せばよく、処理を中止（または停止）したい場合には「Ｎｏ」ボタンＢ２を押せば良い。また、比較結果のプレビューボタンＢ３を押すと、２つの画像の比較結果が明示的に示された画面（検版処理結果画面）が表示される。
【００８２】
図２０は、表示部４００（図１）に表示される検版処理結果画面を説明する説明図である。図２０に示す画面には、検版結果データで表された検版結果画像ＩＭＧと、処理を進行させるためのボタンＢＧと、処理を中断させるためのボタンＢＳと、検版結果画像ＩＭＧが表す画像のページ番号を示すページ番号表示部ＢＮＳとが表示されている。この第４実施例では、検版結果画像ＩＭＧの表示の際に、濃度（階調値）の差分が予め設定されたしきい値以上である画素が濃く（例えば、Ｍ版（マゼンタ色）１００％で）表示され、しきい値未満である画素が薄く表示される。図２０の例では、領域ＤＩにおける数字の「２」が「３」に変わっている。そのため、図１９に示す画面ＩＭＧには、この変更が行われた領域ＤＩにおいて、濃度差分が大きくなった画素が濃く（例えば、Ｍ版１００％で）表示され、その他の濃度差分が小さい画素が薄く表示されている。このように、濃度差分がしきい値以上である画素、すなわち、変更のあった箇所が目立つように表示すれば、ユーザは、変更箇所の確認を容易に行うことができる。しきい値としては、例えば、（濃度）階調値の取りうる範囲が０〜２５５である場合に、３０としても良い。このしきい値が大きいほど、より濃度差分が大きい画素のみを目立たせることができる。すなわち、しきい値が大きいほど、より大きい違いのみを確認する検版を実行することができる。
【００８３】
ユーザは、このように、アラート表示画面（図１９）によって検版エラーがあったことを通知されるので、その後の処理を進めるか否かを適切に指示することができる。また、図２０に示す比較結果のプレビュー画面では、変更があった箇所が目立つように表示されるので、その画像データ（上記の例では最終出力データ）が適切なものか否かの判断を容易に行うことができる。ユーザは、画像データが適切であると判断した場合には、ボタンＢＧを操作することによって、処理を進行させることができる。また、不適切な変更が生じている場合には、ボタンＢＳを操作することよって、処理を中断させることができる。なお、変更があった箇所を目立つように表示する方法としては、変更があった箇所を点滅させたり、枠で囲ったりする方法を用いても良い。また、変更のあった箇所を拡大表示したり、特定の色で表示したりしても良い。
【００８４】
以上のように、第４実施例では、印刷物ページレイアウト条件を用いた工程間検版を行うことができるので、印刷物ページレイアウト条件が異なる工程間においても、適切な検版を行うことができる。また、確認（承認）された台紙画像データを用いた検版を行うことによって、印刷製版に不適切な画像データを用いて処理を続行することを防止することができる。
【００８５】
また、台紙画像データがモノクロデータではなく複数の色成分（ＲＧＢやＹＭＣＫ等）を含むデータである場合には、検版実行部３６０ｃは各色成分毎に比較を行うのが好ましい。こうすることで、各色成分毎の検版を適切に行うことができる。この場合には、検版結果画像において、各色成分の検版処理結果を１つの画像にまとめ、各色成分のいずれかの濃度差分がしきい値以上である画素を目立つように表示しても良く、また、各色成分の検版処理結果を個別に表示しても良い。また、所定のしきい値は、色成分によって異なる値を設定しても良い。
【００８６】
なお、検版処理に関する種々の条件は、ジョブチケットＪＴ（図２）に予め設定されていることが好ましい。検版処理の条件としては、例えば以下のような項目を設定することが可能である。
（１）比較対象となる２つの画像：例えば網点プルーフ時の画像と最終出力時の画像。
（２）検版処理の曖昧比較度：「なし」、「小」、「大」、のいずれか。
（３）検版エラー発生時の対処モード：「処理停止」、「アラート表示」、「処理履歴に記録する」、のいずれか。
【００８７】
検版処理の曖昧比較度の「なし」とは、例えば２つの画像データが完全一致しない場合にはすべて不一致（検版エラー）とするモードを意味する。また、曖昧比較度「小」は、２つの画像の間に差異が検出された場合に、その周囲の一定範囲に一致する画素データがあるか否かを調べ、一致する画素データが存在する場合には検版エラーが無いものと判定するモードを意味する。曖昧比較度「大」は、２つの画像の間に差異が検出された場合に、その周囲の一定範囲に一致する画素データがある場合、あるいは、差異が一定以下である場合には、エラーが無いものと判定するモードを意味する。
【００８８】
検版エラー発生時の対処モードとして「処理停止」が設定されている場合には、例えば上述した図１９を表示せずに直ちに処理が停止される。「アラート表示」が設定されている場合には、図１９が表示し、その後のユーザの指示に従って処理の継続または停止が決定される。また、「処理履歴に記録する」が設定されている場合には、不一致が発生していたことが処理履歴（ログ）に記録され、その後の処理が停止すること無く継続される。ジョブチケットは、検版エラー発生時の対処モードとしてこのような複数の対処モードの中の１つを選択できるように構成されていることが好ましい。
【００８９】
このように、検版処理の種々の条件をジョブチケットＪＴに予め設定しておき、この条件に応じて検版処理を実行するようにすれば、各ジョブにおける要求に応じて適切な検版処理を実行することが可能である。
【００９０】
なお、上述した第４実施例では、印刷物ページレイアウト条件を用いた工程間検版として図１３の第３の検版工程について説明したが、第１の検版工程や、第２の検版工程についても、同様の処理が実行される。
【００９１】
以上説明したように、第４実施例では、印刷物ページレイアウト条件を用いた工程間検版を行うことができるので、印刷物ページレイアウト条件が異なる工程間においても、適切な検版を行うことができる。
【００９２】
Ｆ．第５実施例：
図２１は、第５実施例の製版工程を示す説明図である。この製版工程は、図１２に示した第４実施例の製版工程のうちの網点プルーフ出力工程Ｓ１４と最終出力処理工程Ｓ１５との間に台割／面付け修正工程Ｓ３０を追加したものであり、他の工程は第４実施例と同じである。但し、図２１では、工程Ｓ１４よりも上流側の工程の図示が省略されている。
【００９３】
図２２は、第５実施例における工程Ｓ１４，Ｓ３０，Ｓ１５の詳細工程を示すフローチャートである。網点プルーフ出力工程Ｓ１４では、まず、ステップＳ１４ａにおいて、ジョブチケットＪＴ（図２）から網点プルーフ用ＲＩＰ展開条件が読み込まれ、また、ステップＳ１４ｂにおいて、ジョブチケットＪＴから網点プルーフ用台割／面付け情報が読み込まれる。ステップＳ１４ｃでは、これらの情報に従って、網点プルーフ用ＲＩＰ展開処理と台割／面付け処理とが実行される。この結果、前述した図１６に示した状態で画像がレイアウトされたＲＩＰ展開画像が得られる。ステップＳ１４ｄでは、このＲＩＰ展開画像が網点プルーフとして出力される。ステップＳ１４ｅでは、この網点プルーフが顧客及び／または作業者によって評価され、承認される。この時点で不具合が発見されて承認されなかった場合には、例えばジョブの製作工程（製版工程の全段階の工程）に戻ってジョブの修正が行われる。
【００９４】
こうして網点プルーフが承認されると、台割／面付け修正工程Ｓ３０のステップＳ３０ａにおいて、製版工程の作業者によって最終出力機種が選定される。ステップＳ３０ｂでは、選択された最終出力機種に適した台割／面付け状態になるように台割／面付け情報が必要に応じて変更される。例えば、当初に予定した出力機よりもより大きな版を出力可能な出力機が選択された場合には、面付け数を増加させるように変更がなされる。変更後の台割／面付け情報は、ジョブチケットＪＴに反映される。
【００９５】
最終出力処理工程Ｓ１５では、まず、ステップＳ１５ａにおいて、ジョブチケットＪＴから最終出力用ＲＩＰ展開条件が読み込まれ、また、ステップＳ１５ｂにおいて、ジョブチケットＪＴから最終出力用台割／面付け情報が読み込まれる。ステップＳ１５ｃでは、これらの情報に従って、最終出力用ＲＩＰ展開処理と台割／面付け処理とが実行される。この結果、前述した図１７に示した状態で画像がレイアウトされたＲＩＰ展開画像が得られる。ステップＳ１５ｄでは、最終出力用ＲＩＰ展開画像データＲＩＰＤ４と、網点プルーフ用ＲＩＰ展開画像データＲＩＰＤ３とに基づいて第４実施例で説明した検版処理が実行される。この代わりに、第１ないし第３実施例で説明した検版処理を実行してもよい。そして、検版処理の結果が良好な場合には、ステップＳ１５ｅにおいて最終出力データが出力機に転送されて実際の出力（例えば刷版の作成）が実行される。
【００９６】
このように、第５実施例では、網点プルーフ出力工程Ｓ１４と最終出力工程Ｓ１５との間に台割／面付け工程Ｓ３０が存在する。このとき、台割や面付けが変更する際に何らかのミスが生じる場合がある。図２３は、台割に関するミスの一例を示している。図２３（Ａ）は、台割変更前のレイアウトを示しており、１枚の台紙上にＡ，Ｂ，Ｃ，Ｄの４つのページの画像が配置されている。図２３（Ｂ）は、台割変更後のレイアウトを示している。ここでは、変更前のページＣ（ハッチングで示す）を図示しないページＥに差し替えるつもりであったが、実際には誤ってページＺが配置されてしまった場合が示されている。
【００９７】
図２４は、画像部品のレイアウトに関するミスの一例を示している。図２４（Ａ）は、網点プルーフ用のレイアウトにおいて、画像部品ＩＭが右ページの有効領域ＰＲ１（太い実線で示す）に割り付けられている状態を示している。画像部品ＩＭの画像の大きさ（破線で示す）は有効領域ＰＲ１よりも大きく、この有効領域ＰＲ１内の画像部分だけが印刷物として再現される。画像部品ＩＭの原点（左下点）の位置座標（Ｄ３ｘ，Ｄ３ｙ）は、有効領域ＰＲ１の原点（左下点）からの座標のオフセット量で設定されている。図２４（Ｂ）は、最終出力用のレイアウトにおいて、同じ画像部品ＩＭが右上ページの有効領域ＰＲ２に割り付けられている状態を示している。ここで、画像部品ＩＭの原点の位置座標（Ｄ４ｘ，Ｄ４ｙ）が誤って変更されており、この結果、有効領域ＰＲ２内に再現される画像部分に誤りが生じている。
【００９８】
第５実施例では、上述した図２３や図２４のようなミスが発生した場合にも、２つの工程でそれぞれ作成された印刷物画像同士の検版がステップＳ１５ｄ（図２２）で実行されるので、そのミスを発見することが可能である。特に、この工程間検版は、最終出力データを出力機に転送する前に行われるので、誤ったデータで刷版や印刷物を作成してしまうことを防止することができるという利点がある。
【００９９】
Ｇ．第６実施例：
図２５は、第６実施例の製版工程を示す説明図である。この製版工程は、図１２に示した第４実施例の製版工程のうちの網点プルーフ出力工程Ｓ１４と最終出力処理工程Ｓ１５とが、４つの工程Ｓ４０，Ｓ４１，Ｓ４２，Ｓ４３に置き換えられたものであり、自動製版処理工程Ｓ１３以前の工程は第４実施例と同じである。なお、図１２の網点プルーフ出力工程Ｓ１４と最終出力処理工程Ｓ１５ではそれぞれでＲＩＰ展開処理が行われていたのに対して、図２５の網点プルーフ出力工程Ｓ４１と最終出力処理工程Ｓ４３ではＲＩＰ展開処理は行われず、ＲＩＰ展開処理は工程Ｓ４０で１回行われるだけである。この点から、図２５の製版工程を、「ＲＩＰワンス工程」と呼ぶことができる。なお、図２５では、自動製版処理工程Ｓ１３よりも上流側の工程の図示は省略されている。
【０１００】
図２６は、第６実施例における工程Ｓ４０〜Ｓ４３の詳細工程を示すフローチャートである。ＲＩＰ展開工程Ｓ４０では、まず、ステップＳ４０ａにおいて、ジョブチケットＪＴからＲＩＰ展開条件が読み込まれ、また、ステップＳ４０ｂでは、この条件に従ってＲＩＰ展開処理が実行される。このＲＩＰ展開条件としては、最終出力用に適した条件が使用される。こうして作成されたＲＩＰ展開データＲＩＰＤ０（図２５）は、その後の工程Ｓ４１，Ｓ４３において印刷物画像が出力される際に利用される。
【０１０１】
網点プルーフ工程Ｓ４１のステップＳ４１ａ〜Ｓ４１ｄは、ＲＩＰ展開条件の読み込みやＲＩＰ展開処理が無いこと以外は、図２２に示した工程Ｓ１４と同じである。なお、網点プルーフ用の出力解像度が最終出力用の出力解像度よりも低い場合には、ＲＩＰ展開画像データを間引く低解像度化処理が実行される。
【０１０２】
図２５の台割／面付け修正工程Ｓ４２のステップＳ４２ａ，Ｓ４２ｂは、図２２に示した工程Ｓ３０と同じである。最終出力工程Ｓ４３のステップＳ４３ａ〜Ｓ４３ｄは、ＲＩＰ展開条件の読み込みやＲＩＰ展開処理が無いこと以外は図２２に示した工程Ｓ１５と同じである。
【０１０３】
上述したように、第６実施例のようなＲＩＰワンス工程においても、異なる工程でそれぞれ作成された印刷物画像同士の検版が実行されるので、それらの工程の間に発生したミスを発見することが可能である。
【０１０４】
Ｈ．変形例：
なお、この発明は上記の実施例や実施形態に限られるものではなく、その要旨を逸脱しない範囲において種々の態様において実施することが可能であり、例えば次のような変形も可能である。
【０１０５】
Ｈ１．変形例１：
上記各実施例では、解像度と、階調数と、表色系と、トーン再現と、圧縮方法と、の５つの条件（パラメータ）でＲＩＰ展開条件が規定されるものとしていたが、ＲＩＰ展開条件はこれら以外の任意の複数の条件（パラメータ）で規定されるものとすることができる。
【図面の簡単な説明】
【図１】製版システムの全体構成を示す説明図。
【図２】刷版作成制御システムの機能的構成を示すブロック図。
【図３】第１実施例の製版工程を示す説明図。
【図４】検版結果データに基づいて表示部４００に表示された検版結果の一例を示す説明図。
【図５】第２実施例の製版工程を示す説明図。
【図６】解像度の変換方法を示す説明図。
【図７】２値画像を多値化する処理の手順を示すフローチャート。
【図８】２値画像の表色系変換の手順を示すフローチャート
【図９】２値画像のトーン再現特性の変換手順を示すフローチャート。
【図１０】圧縮方法の変換手順を示すフローチャート。
【図１１】第３実施例の製版工程を示す説明図。
【図１２】第４実施例の製版工程を示す説明図。
【図１３】制御パラメータの設定を行う様子を示す説明図。
【図１４】ページ割り当て設定用の画面を示す説明図。
【図１５】プルーフ１レイアウト設定用の画面を示す説明図。
【図１６】プルーフ２レイアウト設定用の画面を示す説明図。
【図１７】ＣＴＰレイアウト設定用の画面を示す説明図。
【図１８】印刷物ページレイアウト条件を用いた検版を説明する説明図。
【図１９】検版結果のアラート表示の一例を示す説明図。
【図２０】検版処理結果画面を説明する説明図。
【図２１】第５実施例の製版工程を示す説明図。
【図２２】第５実施例におけるステップＳ１４，Ｓ３０，Ｓ１５の詳細工程を示すフローチャート。
【図２３】台割に関するミスの一例を示す説明図。
【図２４】画像部品のレイアウトに関するミスの一例を示す説明図。
【図２５】第６実施例の製版工程を示す説明図。
【図２６】第６実施例における工程Ｓ４０〜Ｓ４３の詳細工程を示すフローチャート。
【符号の説明】
１００…デザイン装置
２００…刷版作成システム
３００…刷版作成制御システム
３１０…プリフライト処理部
３２０…処理部
３３０…自動製版処理部
３４０…網点プルーフ処理部
３５０…最終出力処理部
３６０…工程間検版実行部
３６２…ＲＩＰ展開部
３６４…比較部
３６６…展開条件変換部
３６８…画像領域抽出部
３７０…画像データ記憶部
３９０…制御部
３９２…パラメータ決定部
４００…表示部
４１０…簡易プルーフ出力機
４２０…網点プルーフ出力機
４３０…プレート出力機
【図１】
2004203016.tif 000003
【図２】
2004203016.tif 000004
【図３】
2004203016.tif 000005
【図４】
2004203016.tif 000006
【図５】
2004203016.tif 000007
【図６】
2004203016.tif 000008
【図７】
2004203016.tif 000009
【図８】
2004203016.tif 000010
【図９】
2004203016.tif 000011
【図１０】
2004203016.tif 000012
【図１１】
2004203016.tif 000013
【図１２】
2004203016.tif 000014
【図１３】
2004203016.tif 000015
【図１４】
2004203016.tif 000016
【図１５】
2004203016.tif 000017
【図１６】
2004203016.tif 000018
【図１７】
2004203016.tif 000019
【図１８】
2004203016.tif 000020
【図１９】
2004203016.tif 000021
【図２０】
2004203016.tif 000022
【図２１】
2004203016.tif 000023
【図２２】
2004203016.tif 000024
【図２３】
2004203016.tif 000025
【図２４】
2004203016.tif 000026
【図２５】
2004203016.tif 000027
【図２６】
2004203016.tif 000028